(57)【要約】【課題】複数ページからなる画像情報をマルチページファイルとして蓄積手段に蓄積する画像処理装置において、不要な一部ページの画像情報を任意に削除可能にするとともに、その削除後には、一部のページの画像情報が削除されたマルチページファイルであることを確実に認識できるようにすること。【解決手段】画像処理装置を、複数ページの画像情報と各ページの画像情報と対応付けられるページ情報とをマルチページファイルとして蓄積するファイルメモリ１７と、マルチページファイルの任意のページの画像情報を削除する画像情報削除手段２７と、画像情報削除手段２７によりマルチページファイルの一部のページの画像情報が削除された場合には、削除されたページの画像情報に対応するページ情報を更新し、このページ情報に画像情報削除手段２７により削除された画像情報のページ番号を含むようにするページ情報更新手段２９とを備える構成とする。【選択図】図１
2005110183.tif 000002
【特許請求の範囲】
【請求項１】
複数ページの画像情報と、各ページの画像情報と対応付けられる識別情報と、をマルチページファイルとして蓄積する蓄積手段を備えた画像処理装置において、
マルチページファイルの任意のページの画像情報を削除する画像情報削除手段と、
該画像情報削除手段によりマルチページファイルの一部のページの画像情報が削除された場合には、削除されたページの画像情報に対応する識別情報を更新する識別情報更新手段と、を備え、
該識別情報更新手段により更新される識別情報には、前記画像情報削除手段により削除された画像情報のページ番号を含むことを特徴とする画像処理装置。
【請求項２】
前記識別情報更新手段により更新される識別情報には、画像情報の削除を行ったユーザ名を含むことを特徴とする請求項１に記載の画像処理装置。
【請求項３】
複数ページの画像情報をマルチページファイルとして蓄積手段に蓄積する画像処理装置において、
マルチページファイルの任意のページの画像情報を削除する画像情報削除手段を備え、
該画像情報削除手段によりマルチページファイルの一部のページの画像情報が削除された場合には、削除されなかった残りのページの画像情報については、削除前のページ番号をそのまま承継することを特徴とする画像処理装置。
【請求項４】
前記マルチページファイルには、前記複数ページの画像情報とともに、画像情報の総ページ数の情報を識別情報として含むことを特徴とする請求項３に記載の画像形成装置。
【請求項５】
前記画像情報処理手段によりマルチページファイルの全部のページの画像情報が削除された場合には、該マルチページファイル自体を前記蓄積手段から削除することを特徴とする請求項１、請求項２、請求項３、または請求項４に記載の画像処理装置。
【発明の詳細な説明】
【技術分野】
【０００１】
本発明は、画像処理装置に関し、特に複数ページからなる画像情報をマルチページファイルとして蓄積手段に蓄積する画像処理装置に関する。
【背景技術】
【０００２】
従来、画像処理装置として、スキャナ等の画像読取装置で読み取った複数ページからなる画像情報を、マルチページファイルとしてメモリ等の蓄積手段に蓄積するものが知られており、このマルチページファイルは、例えば、複数ページの画像情報と、画像情報の識別情報とを含むような構成となっている。
また、例えば、特許文献１に示されるように、複数の画像情報を含む画像ファイル（マルチページファイル）に対して、画像情報の削除、挿入等の変更があった場合には、画像ファイルを連結先の画像形成装置に転送を行い設定を行うことにより、新たに自動的にバックアップをとるような画像形成システムが知られている。
【０００３】
【特許文献１】特開２００３−８７４９１号公報
【発明の開示】
【発明が解決しようとする課題】
【０００４】
しかし、従来の画像処理装置では、マルチページファイルが、作成されたそのままの状態で蓄積されているのか、あるいは、マルチページファイルの一部のページの画像情報が削除された状態で蓄積されているのかを認識することが難しかった。また、一部のページの画像情報が削除されているマルチページファイルについては、どのページの画像情報が削除されたのかを認識することが困難であった。
そこで、本発明では、複数ページからなる画像情報をマルチページファイルとして蓄積手段に蓄積する画像処理装置において、マルチページファイルの不要な一部ページの画像情報を任意に削除可能にするとともに、その削除後には、一部のページの画像情報が削除されたマルチページファイルであることを確実に認識できるようにすることを課題とする。
【課題を解決するための手段】
【０００５】
本発明の解決しようとする課題は以上の如くであり、次にこの課題を解決するための手段を説明する。
すなわち、請求項１においては、複数ページの画像情報と、各ページの画像情報と対応付けられる識別情報と、をマルチページファイルとして蓄積する蓄積手段を備えた画像処理装置において、マルチページファイルの任意のページの画像情報を削除する画像情報削除手段と、該画像情報削除手段によりマルチページファイルの一部のページの画像情報が削除された場合には、削除されたページの画像情報に対応する識別情報を更新する識別情報更新手段と、を備え、該識別情報更新手段により更新される識別情報には、前記画像情報削除手段により削除された画像情報のページ番号を含むものである。
【０００６】
請求項２においては、前記識別情報更新手段により更新される識別情報には、画像情報の削除を行ったユーザ名を含むものである。
【０００７】
請求項３においては、複数ページの画像情報をマルチページファイルとして蓄積手段に蓄積する画像処理装置において、マルチページファイルの任意のページの画像情報を削除する画像情報削除手段を備え、該画像情報削除手段によりマルチページファイルの一部のページの画像情報が削除された場合には、削除されなかった残りのページの画像情報については、削除前のページ番号をそのまま承継するものである。
【０００８】
請求項４においては、前記マルチページファイルには、前記複数ページの画像情報とともに、画像情報の総ページ数の情報を識別情報として含むものである。
【０００９】
請求項５においては、前記画像情報処理手段によりマルチページファイルの全部のページの画像情報が削除された場合には、該マルチページファイル自体を前記蓄積手段から削除するものである。
【発明の効果】
【００１０】
本発明の効果として、以下に示すような効果を奏する。
すなわち、請求項１に示すような画像処理装置によれば、マルチページファイルの不要な一部の画像情報のみを任意に削除できる。また、削除後に、マルチページファイルの識別情報を参照することにより、一部のページの画像情報が削除されたマルチページファイルであることを確実に認識することができる。
【００１１】
請求項２に示すような画像処理装置によれば、削除後に、マルチページファイルの識別情報を参照することにより、誰が一部のページを削除したかを認識することができる。
【００１２】
請求項３に示すような画像処理装置によれば、マルチページファイルの識別情報を参照することにより、マルチページファイルにおいて、画像情報のページ番号が非連続になっているため、一部のページの画像情報が削除されたマルチページファイルであることを確実に認識することができる。
【００１３】
請求項４に示すような画像処理装置によれば、マルチページファイルの識別情報を参照することにより、マルチページファイルの最終ページの画像情報を削除した場合であっても、削除された画像情報のページ番号を認識することができる。
【００１４】
請求項５に示すような画像処理装置によれば、画像情報を含んでいない無意味なマルチページファイルが形成されることを未然に防止できる。
【発明を実施するための最良の形態】
【００１５】
次に、発明を実施するための最良の形態を添付の図面を用いて説明する。
図１は本発明を適用する画像処理装置の制御構成の一実施例を示す図、図２はマルチページファイルを示す図、図３はメニューリストが表示された操作パネルを示す図、図４はファイルメモリに蓄積されているマルチページファイルが表示された操作パネルを示す図、図５はマルチページファイルのページ情報が表示された操作パネルを示す図、図６はユーザ名とパスワードの入力画面が表示された操作パネルを示す図、図７は一部のページの画像情報が削除されたマルチページファイルを示す図、図８は一部のページの画像情報が削除された後のマルチページファイルのページ情報が表示された操作パネルを示す図、図９は別構成のマルチページファイルを示す図である。
【００１６】
以下では、スキャナ機能を有する画像処理装置についての実施例について説明する。なお、本実施例の画像処理装置は、スキャナ機能を有する複写機（コピー機）、ファクシミリ、複合機等に適用することが可能である。
【００１７】
図１を用いて、画像処理装置の概略構成について説明する。
画像処理装置には、制御手段であるＣＰＵ（主制御部）１１、ＲＯＭ１２、ＲＡＭ１３、スキャナ装置１４、ファイルメモリ１７、ＬＡＮインターフェイス１８、操作部２１、音声出力手段２３、マルチページファイル作成手段２５、画像情報削除手段２７、ページ情報更新手段２９が備えられ、前記の各部がバス１０を介して、通信可能に接続されている。
【００１８】
ＣＰＵ１１は、操作部２１における入力操作等に基づいて、画像処理装置の各部を制御する制御手段である。ＲＯＭ１２には、画像処理装置を制御する制御プログラム等が記憶されている。ＲＡＭ１３には、画像処理装置の制御状態等の各種情報が一時的に記憶される。
【００１９】
音声出力手段（例えば、スピーカを備えた音声出力回路）２３は、音声ガイダンスを出力する際に作動される。また、画像処理装置は、ＬＡＮインターフェイス１８によりＬＡＮ（Ｌｏｃａｌ  Ａｒｅａ  Ｎｅｔｗｏｒｋ）１９を通じて、パーソナルコンピュータ（ＰＣ）等の外部の端末装置２０と接続可能となっている。
【００２０】
操作部２１には、画像処理装置を操作するための入力手段としての各種操作キー２２が設けられている。各操作キー２２の入力操作はＣＰＵ１１に伝えられ、この入力操作に基づいて画像処理装置の制御が行われる。
【００２１】
また、操作部２１には、表示部を兼ねる操作パネル３０が備えられている。操作パネル３０は、タッチパネル機能を有するディスプレイで構成され、画像処理装置の動作状態等の各種情報（文字メッセージ）や、画像処理装置の操作手順が表示される。また、画像処理装置の動作状態に応じて画像処理装置を操作するための入力手段としての各種操作キーが表示される（図３等参照）。これらの場合、ＣＰＵ１１は、ＲＯＭ１２に記憶されている操作パネルデータを読み出し、読み出した操作パネルデータを操作パネル３０に表示出力する。操作パネル３０に表示される各操作キーの入力操作はＣＰＵ１１に伝えられ、この入力操作に基づいて画像処理装置の制御が行われる。
【００２２】
画像読取部であるスキャナ装置１４は、写真、文書、図面等の原稿を光学的に走査（スキャン）して、その反射光や透過光の強度を計測し、これをＡＤ変換（アナログ−デジタル変換）して、イメージデータである画像情報を出力する。スキャナ装置１４には、ＡＤＦ装置（自動原稿搬送装置）１５が備えられている。このＡＤＦ装置１５によって、スキャナ装置１４は、該ＡＤＦ装置１５にセットされた複数ページの原稿を連続的に読み取ることを可能となっている。スキャナ装置１４で読み取られた原稿の画像情報は、蓄積手段であるファイルメモリ１７に蓄積される。なお、モノクロ読取機能を備えたモノクロスキャナを使用することもでき、モノクロ読取機能およびカラー読取機能を備えたカラースキャナを使用することもできる。
【００２３】
本実施例の画像処理装置では、スキャナ装置１４で連続的に読み取った複数ページの画像情報を、マルチページファイルとして、ファイルメモリ１７に蓄積することとしている。画像情報は、例えば、ｔｉｆｆ形式、ＪＰＥＧ形式のファイルとしてファイルメモリ１７に蓄積することができる。マルチページファイルの作成は、マルチページファイル作成手段２５による作成処理によって行われる。マルチページファイル作成手段２５は、スキャナ装置１４で連続的に読み取られた複数ページの画像情報からマルチページファイルを作成するために設けられており、具体的には、プログラムまたは回路で構成される。なお、プログラム（作成用プログラム）で構成される場合には、このプログラムはＲＯＭ１２に記憶される。そして、ＣＰＵ１１が、ＲＯＭ１２に記憶されているプログラムを読み出してＲＡＭ１３で展開し、作成処理を実行する。
【００２４】
但し、スキャナ装置１４で読み取られた画像情報が１ページのみの場合には、マルチページファイルとしてではなく、シングルページファイルとしてファイルメモリ１７に蓄積される。
以下の説明では、複数ページから構成されるマルチページファイルとして作成されたファイルについてのみ考慮することとし、シングルページファイルとして作成されたファイルについては考慮しないものとする。
【００２５】
マルチページファイルは、複数ページからなる画像情報と、ページ情報とにより構成される。具体的には、図２に示すように、複数ページ分（図２では、６ページ分）の画像情報と、各ページの画像情報と対応付けられるページ情報（図２では、ページ番号、画像情報のサイズ、マルチページファイルを作成した作成日）とにより構成されている。このページ情報は、マルチページファイルの各ページの画像情報の管理情報（識別情報）である。
【００２６】
本実施例の画像処理装置では、マルチページファイルを構成する任意のページの画像情報を削除可能としている。そして、画像情報が削除された場合には、削除されたページの画像情報に対応するページ情報を更新するように制御している。この画像情報の削除は、画像情報削除手段２７による削除処理によって行われる。画像情報削除手段２７は、マルチページフィルの画像情報を削除するために設けられており、具体的には、プログラムまたは回路で構成される。なお、プログラム（削除用プログラム）で構成される場合には、このプログラムはＲＯＭ１２に記憶される。そして、ＣＰＵ１１が、ＲＯＭ１２に記憶されているプログラムを読み出してＲＡＭ１３で展開し、削除処理を実行する。
また、ページ情報（識別情報）の更新は、ページ情報更新手段（識別情報更新手段）２９による更新処理によって行われる。ページ情報更新手段２９は、マルチページファイルのページ情報を更新するために設けられており、具体的には、プログラムまたは回路で構成される。なお、プログラム（更新用プログラム）で構成される場合には、このプログラムはＲＯＭ１２に記憶される。そして、ＣＰＵ１１が、ＲＯＭ１２に記憶されているプログラムを読み出してＲＡＭ１３で展開し、更新処理を実行する。
【００２７】
まず、マルチページファイルを構成する一部のページの画像情報を削除する場合の制御について説明する。
前述したように、複数ページ分の画像情報がマルチページファイルとしてファイルメモリ１７に蓄積されている。マルチページファイルの情報は、図３、図４、図５に示すように、操作パネル３０に階層的に表示される。この場合、操作パネル３０を操作することによって、操作パネル３０の表示が順次切り換わるようにしている。
【００２８】
図３には、操作パネル３０に画像処理装置のメニューリストが表示されて、「ファイル情報・管理」と表示されている部分３１を操作した（押した）状態を示している。この操作によって、操作パネル３０の表示が図４に示すような表示に切り換わり、ファイルメモリ１７に蓄積されているマルチページファイルが参照可能となる。
【００２９】
図４には、ファイルメモリ１７に蓄積されているマルチページファイルのファイル名（ファイル番号）とページ数とが操作パネル３０に表示されて、１つのマルチページファイル（図４では、ｆｉｌｅ：０１）が表示されている部分を操作して（押して）マルチページファイルを指定した状態を示している。この操作によって、操作パネル３０の表示が図５に示すような表示に切り換わり、指定されたマルチページファイルの内容（ページ情報）が参照可能となる。
【００３０】
図５には、指定された１つのマルチページファイルの内容、つまり、マルチページファイルの各ページの画像情報に対応するページ情報であるページ番号、画像情報のサイズ、マルチページファイルを作成した作成日が操作パネル３０に表示されて、削除の対象となるページ（図５では、ｐａｇｅ２、ｐａｇｅ４、ｐａｇｅ５）の部分を操作して（押して）削除するページを指定した状態を示している。この操作によって、指定されたページ情報の部分の表示色が反転する。
【００３１】
このように、削除対象ページを指定した後、削除キー３３を操作する（押す）。ここで、この削除キー３３の操作によって、指定したページの画像情報をそのまま削除するようにしてもよい。
しかし、不特定のユーザによって必要な画像情報が削除されることを防止するために、言い換えれば、特定のユーザのみ不要な画像情報を削除できるようにするために、次のような操作を要求することとしている。
【００３２】
削除キー３３を押すと、操作パネル３０に、図６に示すような入力画面が表示される。この入力画面は、削除するユーザのユーザ名とパスワードを入力する画面である。ユーザ名とパスワードの入力は、操作部２１の操作キー２２により行う。なお、操作部２１の操作キー２２に替わるものを操作パネル３０に表示して、この操作により入力するようにしてもよい。
【００３３】
ユーザ名とパスワードとは、予め対応付けてＲＡＭ１３に記憶（登録）されている。操作パネル３０の入力画面に入力されたユーザ名またはパスワードが、ＲＡＭ１３に予め記憶されている内容と一致しない場合には、入力内容に間違いがある旨の表示と、再度の入力を促す旨の表示とが操作パネル３０に表示される。
【００３４】
一方、入力されたユーザ名およびパスワードが、ＲＡＭ１３に予め記憶されている内容と一致する場合には、指定したページの画像情報がマルチページファイルから削除される。この削除は、前述したように画像情報削除手段２７による削除処理によって行われる。このように、マルチページファイルの不要な一部の画像情報のみを任意に削除できるようにしている。
そして、削除されたページの画像情報に対応するページ情報を削除せず、更新するようにしている。このページ情報の更新は、前述したようにページ情報更新手段２９による更新処理によって行われる。
【００３５】
削除処理および更新処理後のマルチページファイルは、図７に示すようなものになり、削除されなかったページの画像情報とこの画像情報に対応するページ情報、および削除されたページの画像情報に対応するページ情報とにより構成される。削除されたページの画像情報に対応するページ情報は、ページ情報更新手段２９による更新処理によって更新されている。具体的には、図２（更新前）に示す画像情報のページ番号、サイズおよび作成日が、図７に示す画像情報のページ番号、削除したユーザ名および削除日に更新される。削除したユーザ名は、操作パネル３０の入力画面（図６）に入力されたユーザ名であり、削除日は、そのページ情報と対応付けられる画像情報が削除された日である。なお、削除されなかった残りの画像情報のページ番号（図７）については、削除前のもの（図２）をそのまま継承するように制御している。
【００３６】
そして、削除が完了した旨とページ情報が更新された旨の表示が操作パネル３０に表示される。また、図８には、マルチページファイルの一部のページの画像情報が削除された後（削除処理および更新処理後）、操作パネル３０に、マルチページファイルの内容、つまり、更新後のページ情報が表示された状態を示している。このように、削除されたページ（図８では、ｐａｇｅ２、ｐａｇｅ４、ｐａｇｅ５）には、「削除」と操作パネル３０に表示されるため、図８に示すようなマルチページファイルのページ情報を参照することにより、一部のページの画像情報が何らかの理由で削除されたマルチページファイルであることを確実に認識することができる。そして、削除された画像情報のページ番号を認識することができる。また、削除したユーザ名が表示されるため、誰が一部のページを削除したかを認識することができる。
【００３７】
以上では、マルチページファイルを構成する一部のページの画像情報を削除する場合の制御について説明したが、マルチページファイルを構成する全部のページの画像情報を、画像情報削除手段２７による削除処理により削除する場合には、異なる制御となる。
この場合、マルチページファイルの内容（ページ情報）が操作パネル３０に表示された状態において（図５参照）、「全ページ」キー３２を操作する（押す）。この「全ページ」キー３２は、マルチページファイルに含まれる全部のページの画像情報を指定するキーであり、このキー３２の操作によって、マルチページファイルに含まれる全部のページの画像情報が削除対象として指定される。
【００３８】
そして、削除キー３３を押し、さらに、ユーザ名およびパスワードの入力を行った後、入力されたユーザ名およびパスワードがＲＡＭ１３に予め記憶されている内容と一致する場合には（前述の場合と同様）、全部のページの画像情報を削除するとともにマルチページファイル自体をファイルメモリ１７から削除する。このように、マルチページファイルを構成する全てのページの画像情報が削除された場合には、そのマルチページファイル自体をファイルメモリ１７から削除するように制御している。つまり、マルチページファイルに存在する全てのページを削除対象ページとして指定することで、マルチページファイル自体を削除することができる。このため、画像情報を含んでいない無意味なマルチページファイルが形成されることを未然に防止できる。なお、削除するページ番号の数値をユーザが手入力するようにした場合、入力されたページ番号、またはページ番号範囲が、ファイルに存在する全てのページを含むときには、画像情報削除手段２７は、全ページ削除が指定されたものと認識する。
【００３９】
なお、マルチページファイル自体が削除される前に、この操作によりマルチページファイル自体が削除される旨の警告を行うようにしてもよい。この警告は、操作パネル３０にメッセージを表示したり、音声ガイダンスを音声出力手段２３により出力したりすることによって行う。操作パネル３０にメッセージを表示する場合には、ユーザ名およびパスワードの入力画面に併せて表示するようにしてもよい。
【００４０】
以上に述べたマルチページファイル（図２参照）の別構成として、図９に示すような簡単な構成としてもよい。図９に示すマルチページファイルでは、ページ情報を「総ページ数」の情報のみとしている。このページ情報としての「総ページ数」は、マルチページファイルが作成されたときの総ページ数である。
マルチページファイルの一部のページの画像情報を削除した場合には、削除されなかった残りの画像情報のページ番号については、削除前のページ番号をそのまま継承するように制御している。そして、総ページ数の情報をそのまま保持するように制御している（図９）。
【００４１】
これにより、削除後のマルチページファイルにおいて、画像情報のページ番号が非連続になっているため（図９参照）、一部のページの画像情報が削除されたマルチページファイルであることを確実に認識することができる。そして、削除された画像情報のページ番号を認識することができる。また、総ページ数の情報が保持されるので、マルチページファイルの最終ページの画像情報を削除した場合であっても、削除された画像情報のページ番号を確実に認識することができる。但し、このようにマルチページファイルを簡単な構成とした場合には、削除したユーザ名を特定できないこととなる。
【００４２】
以上では、操作部２１（操作パネル３０）を操作することによって画像処理装置の操作、具体的に言えば、マルチページファイルを構成する画像情報を削除する操作を行うようにしていたが、ＬＡＮ１９により接続されたＰＣ等の外部の端末装置２０によって画像処理装置の操作を行うようにしてもよい。
外部の端末装置２０による操作の場合には、操作パネル３０の表示（図３、図４、図５等参照）が外部端末装置２０のディスプレイに表示され、また、操作部２１（操作パネル３０）を操作する替わりにキーボードやマウスを操作することとなる。そして、この場合には、外部通信端末のホスト名が分かっているため、削除する際に、ユーザ名およびパスワードを入力する必要がなくなる。
【図面の簡単な説明】
【００４３】
【図１】本発明を適用する画像処理装置の制御構成の一実施例を示す図。
【図２】マルチページファイルを示す図。
【図３】メニューリストが表示された操作パネルを示す図。
【図４】ファイルメモリに蓄積されているマルチページファイルが表示された操作パネルを示す図。
【図５】マルチページファイルのページ情報が表示された操作パネルを示す図。
【図６】ユーザ名とパスワードの入力画面が表示された操作パネルを示す図。
【図７】一部のページの画像情報が削除されたマルチページファイルを示す図。
【図８】一部のページの画像情報が削除された後のマルチページファイルのページ情報が表示された操作パネルを示す図。
【図９】別構成のマルチページファイルを示す図。
【符号の説明】
【００４４】
１１  ＣＰＵ
１７  ファイルメモリ
２７  画像情報削除手段
２９  ページ情報更新手段
【図１】
2005110183.tif 000003
【図２】
2005110183.tif 000004
【図３】
2005110183.tif 000005
【図４】
2005110183.tif 000006
【図５】
2005110183.tif 000007
【図６】
2005110183.tif 000008
【図７】
2005110183.tif 000009
【図８】
2005110183.tif 000010
【図９】
2005110183.tif 000011